(57)【特許請求の範囲】
【請求項１】
少なくとも一側を軸支して開閉可能な前面扉を備えた遊技機に対応して備えられ、遊技機から排出された遊技媒体を、遊技機に隣接して備えられた遊技媒体取扱装置へと案内する案内装置であって、
前記案内装置は、遊技機から遊技媒体を受けて遊技媒体取扱装置へと送る案内部の開口部上縁の周囲に、遊技媒体の飛び跳ね防止部を備え、
前記飛び跳ね防止部は、第一の飛び跳ね防止部と、前記第一の飛び跳ね防止部の上面にて変位可能な第二の飛び跳ね防止部とで構成され、
前記第一の飛び跳ね防止部と前記第二の飛び跳ね防止部は、
付勢されて上方に向けて突出する第一の位置と、
前記前面扉の開閉動作に追従して退避する第二の位置に、それぞれ段階的に変位可能であることを特徴とする案内装置。
【請求項２】
前記第二の飛び跳ね防止部の底面は、前記第一の飛び跳ね防止部の底面よりも小さく形成されていることを特徴とする請求項１に記載の案内装置。
【請求項３】
前記第二の飛び跳ね防止部は、常に、上方に向けて付勢されており、前記前面扉の開閉動作で前記前面扉の下端が接すると、前記付勢力に抗して退避可能であることを特徴とする請求項１又は２に記載の案内装置。
【請求項４】
前記第二の飛び跳ね防止部は、前記案内部の開口部上縁を囲むように両端部を遊技機寄りに位置せしめて備えられ、
少なくとも、前記両端部の頂面高さは、前記前面扉の下端高さよりも低く形成されるとともに、前記両端部から中心部に向けて昇り傾斜状に形成されていることを特徴とする請求項１乃至３のいずれかに記載の案内装置。
【請求項５】
前記第二の飛び跳ね防止部は、両端部から一体に連続して設けられる前面壁部を含んで構成されており、
前記両端部から前面壁部の中央部分に行くに従って、昇り傾斜を持って連続した頂面が形成されるように高さ方向の幅を段々と厚くなるように形成したことを特徴とする請求項１乃至４のいずれかに記載の案内装置。
【発明の詳細な説明】
【技術分野】
【０００１】
本発明は、遊技機の受け皿の下方に備えられ、遊技機毎の遊技媒体を個別に計数するための案内装置（各台計数装置）に関する。
なお、本発明において遊技媒体とは、パチンコ遊技機に用いられる遊技球や、パチスロ遊技機、スロットマシーン及びルーレットマシーン等のゲーミングマシーンなどに用いられるメダルなどの遊技媒体全般を言うものとする。
【背景技術】
【０００２】
例えば、遊技機から排出された出玉などの遊技媒体は、遊技終了後、ホールの所定位置に設置されている計数機まで運んで計数するが、昨今、出玉の運搬手間の解消、人件費の削減、通路への玉箱積み上げによる災害時の危険回避などの理由から、各ホールでは、遊技機毎に出玉などの遊技媒体を計数可能な案内装置（各台計数装置）を配設する形態を採用している。
【０００３】
このような案内装置（各台計数装置）は、例えばパチンコ遊技機にあっては、遊技媒体（出玉）を貯留する下皿の下方に備えられ、案内部（計数皿）で遊技球等の遊技媒体を受け止め、遊技機に隣接して備えられ、計数部を備えた遊技媒体取扱装置（台間玉貸機）と接続することで前記遊技媒体を計数している。
【０００４】
各台計数機を採用する場合、例えばパチンコ遊技機にあっては、遊技機の下皿から排出（落下）される遊技球（出玉）が、各台計数機の案内部（計数皿）上に落下した際に跳ねて外方に飛び出してしまうという問題がある。
そこで、壁状に立ち上げられる飛び跳ね防止部を案内部（計数皿）の開口部上縁の周囲に配設し、案内部（計数皿）に落下した遊技球などの遊技媒体の外方への飛び跳ね（飛び出し）を防止している。
【０００５】
しかし、案内部（計数皿）は、遊技機の下皿の下方に配設されているため、表枠（前面扉）の開閉時に、表枠（前面扉）が飛び跳ね防止部に干渉してしまうと表枠（前面扉）の開閉に支障をきたすとともに、飛び跳ね防止部の損傷を招く虞があった。
【０００６】
このような問題を解決しようとする先行技術の一例として、特許文献１に開示の技術が提案されている。
【先行技術文献】
【特許文献】
【０００７】
【特許文献１】特開２０１１−１８２９３６号公報
【発明の概要】
【発明が解決しようとする課題】
【０００８】
特許文献１では、駆動機構により出没可能な飛び跳ね防止部を備えるものとすることで、表枠（前面扉）の開閉に支障を来たさないようにしていた。
【０００９】
しかしながら、この特許文献１に開示の先行技術にあっては、駆動機構によって退避可能な飛び跳ね防止部の構成としていたため、表枠（前面扉）を閉めるときに誤って飛び跳ね防止部を突出させてしまい、表枠（前面扉）が飛び跳ね防止部に干渉し、飛び跳ね防止部を破損させてしまう虞を有していた。
【００１０】
本発明は、この問題を解決するためになされており、その目的は、表枠（前面扉）の開閉作動に対応して押下げ可能な飛び跳ね防止部を有する案内装置（各台計数装置）を提供することにある。
【課題を解決するための手段】
【００１１】
このような目的を達成するために、第１の発明は、少なくとも一側を軸支して開閉可能な前面扉５を備えた遊技機１に備えられ、遊技機１から排出された遊技媒体（遊技球）を、遊技機１に隣接して備えられた遊技媒体取扱装置７７へと案内する案内装置３５であって、
前記案内装置３５は、前記遊技機１から遊技媒体（遊技球）を受けて遊技媒体取扱装置７７へと送る案内部（計数皿）４１の開口部上縁の周囲に、遊技媒体（遊技球）の飛び跳ね防止部５５を備え、
前記飛び跳ね防止部５５は、第一の飛び跳ね防止部１０７（５５）と、前記第一の飛び跳ね防止部１０７（５５）の上面にて変位可能な第二の飛び跳ね防止部１１５（５５）とで構成され、
前記第一の飛び跳ね防止部１０７（５５）と前記第二の飛び跳ね防止部１１５（５５）は、
付勢されて上方に向けて突出する第一の位置５７と、
前記前面扉５の開閉動作に追従して退避する第二の位置５９に、それぞれ段階的に変位可能に構成されていることを特徴とする案内装置としたことである。
【００１２】
第１の発明によれば、飛び跳ね防止部５５は、前面扉５の開閉動作に追従して退避可能であるため、前面扉５と干渉して破損してしまう虞もない。
さらに、第一の飛び跳ね防止部１０７（５５）と第二の飛び跳ね防止部１１５（５５）がそれぞれ段階的に出没動作するため、飛び跳ね防止部５５の安定した出没動作（退避動作）が可能となる。
【００１３】
第２の発明は第１の発明において、前記第二の飛び跳ね防止部１１５（５５）の底面は、前記第一の飛び跳ね防止部１０７（５５）の底面よりも小さく形成されていることを特徴とする案内装置としたことである。
【００１４】
第２の発明によれば、第一の飛び跳ね防止部１０７（５５）と第二の飛び跳ね防止部１１５（５５）がそれぞれ段階的に出没動作可能な構成としている。
【００１５】
第３の発明は、第１の発明又は第２の発明において、前記第二の飛び跳ね防止部１１５（５５）は、常に上方に向けて付勢されており、前記前面扉５の開閉動作で前記前面扉５の下端が接すると、前記付勢力に抗して退避可能であることを特徴とする案内装置としたことである。
【００１６】
第３の発明によれば、前面扉５の開閉動作時において、前面扉５の下端９が前記第二の飛び跳ね防止部１１５（５５）に接することで前記第二の飛び跳ね防止部１１５（５５）が退避動作を開始するため、前面扉５の開閉時に飛び跳ね防止部５５が前面扉５の前後に突出するという虞もない。
【００１７】
第４の発明は、第１の発明乃至第３の発明のいずれかにおいて、前記第二の飛び跳ね防止部１１５（５５）は、前記案内部（計数皿）４１の開口部上縁を囲むように両端部６１（６１ａ，６１ｂ）を遊技機寄りに位置せしめて備えられ、
少なくとも、前記両端部６１（６１ａ，６１ｂ）の頂面１１９の高さは、前記前面扉５の下端９の高さよりも低く形成されるとともに、前記両端部６１（６１ａ，６１ｂ）から中心部（前面壁部６７）に向けて昇り傾斜状に形成されていることを特徴とする案内装置としたことである。
【００１８】
第４の発明によれば、前面扉５の開閉動作時に、前面扉５の下端９よりも低く設定されている第二の飛び跳ね防止部１１５（５５）の頂面１１９と接しながら中心部（前面壁部６７）に向かって開閉移動するため、第二の飛び跳ね防止部１１５（５５）は、上方への付勢力に抗して前面扉５によって下方に押下げられた状態を維持しつつ前面扉５が移動する。従って、前面扉５の開閉時に飛び跳ね防止部５５が前面扉５の前後に突出するという虞もない。
【００１９】
第５の発明は、第１の発明乃至第４の発明のいずれかにおいて、前記第二の飛び跳ね防止部１１５（５５）は、両端部６１（６１ａ，６１ｂ）から一体に連続して設けられる前面壁部６７を含んで構成されており、
前記両端部６１（６１ａ，６１ｂ）から前面壁部６７の中央部分に行くに従って、昇り傾斜を持って連続した頂面１１９が形成されるように高さ方向の幅を段々と厚くなるように形成したことを特徴とする案内装置としたことである。
【００２０】
第５の発明によれば、第１の発明乃至第４の発明において、前記第二の飛び跳ね防止部１１５（５５）が前面扉５の動きに連動し易くなる。
【発明の効果】
【００２１】
本発明によれば、前面扉の開閉作動に対応して押下げ可能な飛び跳ね防止部を有する案内装置が提供し得る。
【図面の簡単な説明】
【００２２】
【図１】本発明案内装置を備えた遊技機の第一実施形態を示す概略斜視図である。
【図２】第一実施形態の遊技機の前面扉の開扉作動に追従して飛び跳ね防止部が動作する状態を示す全体概略側面図で、（Ａ）は前面扉が閉じて、飛び跳ね防止部が上方に突出している状態を示し、（Ｂ）は前面扉を開けている途中で、前面扉の下端にて飛び跳ね防止部が下方に押下げられている状態を示し、（Ｃ）は前面扉が完全に開けられ、飛び跳ね防止部が上方に突出している状態を示す。
【図３】第一実施形態の遊技機の前面扉の閉扉作動に追従して飛び跳ね防止部が動作する状態を示す部分拡大概略側面図で、（Ａ）は前面扉が完全に開いて、飛び跳ね防止部が上方に突出している状態を示し、（Ｂ）は前面扉を閉じている途中で、前面扉の下端がガイド部に当たってガイド部を介して飛び跳ね防止部が下方に押下げられている状態を示し、（Ｃ）は前面扉の下端が飛び跳ね防止部の頂面に乗り上げて飛び跳ね防止部を下方に押下げている状態を示し、（Ｄ）は前面扉が閉じられて、飛び跳ね防止部が上方に突出している状態を示す。
【図４】第一実施形態の案内装置の概略斜視図である。
【図５】第一実施形態の案内装置を部分的に断面して示す概略側面図である。
【図６】第一実施形態の案内装置を部分的に断面して示す概略側面図である。
【図７】第一実施形態の案内装置のみを実線で示し、（Ａ）は概略斜視図、（Ｂ）は概略縦断正面図である。
【図８】第二実施形態の案内装置の概略斜視図である。
【図９】（Ａ）は第二実施形態の案内装置に採用されている飛び跳ね防止部の概略平面図、（Ｂ）は（Ａ）のＢ−Ｂ線断面図である。
【図１０】第三実施形態の案内装置の概略斜視図である。
【図１１】（Ａ）は第三実施形態の案内装置に採用されている飛び跳ね防止部の概略平面図、（Ｂ）は（Ａ）のＢ−Ｂ線断面図で、押下げ状態を仮想線で示す。
【図１２】第四実施形態の案内装置の概略斜視図である。
【図１３】（Ａ）は第四実施形態の案内装置に採用されている飛び跳ね防止部の概略平面図、（Ｂ）は（Ａ）のＢ−Ｂ線断面図で、押下げ状態を仮想線で示す。
【図１４】第五実施形態の案内装置の概略斜視図で、飛び跳ね防止部が上方に突出していて遮蔽板が上がっている状態を示す。
【図１５】第五実施形態の案内装置の概略斜視図で、飛び跳ね防止部が下方に押下げられていて遮蔽板が下りている状態を示す。
【図１６】遮蔽板の一実施形態を示す概略断面図であって、（Ａ）は遮蔽板があがっている状態を示し、（Ｂ）は遮蔽板が下りている状態を示す。
【図１７】第六実施形態の案内装置の概略斜視図で、操作手段が内方に押し込まれ、飛び跳ね防止部が上方に突出していている状態を示す。
【図１８】第六実施形態の案内装置の概略斜視図で、飛び跳ね防止部が下方に押下げられ、操作手段が外方に飛び出している状態を示す。
【図１９】（Ａ）は図１７の状態の縦断面図、（Ｂ）は図１８の状態の銃断面図である。
【発明を実施するための形態】
【００２３】
以下、本発明の一実施形態に係る案内装置について、添付図面を参照しつつ説明する。
本実施形態では、遊技媒体としての遊技球が転動流下することによって種々の遊技を行なうことが可能なパチンコ遊技機に本発明を適用した実施の一形態を用いて説明する。
図１乃至図７は第一実施形態、図８乃至図９は第二実施形態、図１０乃至図１１は第三実施形態、図１２乃至図１３は第四実施形態、図１４乃至図１６は第五実施形態、図１７乃至図１９は第六実施形態をそれぞれ示す。
「第一実施形態」
【００２４】
図１乃至図７は本発明の第一実施形態を示す。
本実施形態に係る案内装置（各台計数装置）３５は、遊技機１の受け皿（下皿１９）の下方に備えられている。図１において、符号７７は、遊技媒体取扱装置（台間玉貸機）で、案内装置３５によって受け入れた遊技球（出玉）を計数する図示しない計数ユニットを備えている。
【００２５】
遊技機１は、例えば本実施形態によると、遊技球が転動流下可能な遊技領域を有する遊技盤が着脱可能に設けられた本体枠３と、遊技盤を視認可能な開口部７（以下、表枠開口部という）が設けられ、本体枠３の前方（遊技者と対峙（対向）する側）において当該本体枠３により回動可能に軸支された前面扉（表枠）５と、本体枠３の後方（反遊技者対峙（対向）側）において当該本体枠３により回動可能に支持された図示しない後枠とを備え、前記本体枠３に備えられる本体枠構成部材と、前記前面扉（表枠）５に備えられる表枠構成部材と、前記後枠に備えられている図示しない表示装置とを含んで構成されている。
【００２６】
本実施形態に係る遊技機は、外枠１１を介して島設備（図示しない）に取り付けられており、その状態において、上記した本体枠３は、本体枠ヒンジを介して外枠１１に回動可能に支持されている。
そして、隣り合うそれぞれの遊技機１，１間には遊技媒体取扱装置（台間玉貸機）７７が備えられており、この遊技媒体取扱装置（台間玉貸機）７７に本実施形態の案内装置（各台計数装置）３５が接続されている。
【００２７】
表枠構成部材には、透明板ユニット１３、皿ユニット１５、操作ユニット３３、各種装飾部材（トップ飾り２１、右側装飾部材２３、左側装飾部材２５）、遊技球を発射するための発射装置２７などがある。
なお、発射装置２７は図示形態に限らず変更可能であって、また、発射装置２７は本体枠３に備えられる形態であってもよく任意に設計変更可能である。
なお、透明板ユニット１３、皿ユニット１５、操作ユニット３３、各種装飾部材（トップ飾り２１、右側装飾部材２３、左側装飾部材２５）は図示形態に限らず変更可能であって、また、表枠構成部材はこれらに限定されるものではなく、前面扉（表枠）５を構成する部材は全て含まれるものである。
【００２８】
前面扉（表枠）５において、上記した表枠開口部７には、透過性を有する透明板ユニット１３（保護ガラスともいう）が設けられている。
透明板ユニット１３は、例えば、前面扉（表枠）５に設けた表枠開口部（窓部）７に対して、前面扉（表枠）５の裏面側（背面側）から着脱自在に取り付けられており、当該前面扉（表枠）５を本体枠３に対して閉じた状態において、遊技盤の表面（前面）側に対向し、かつその表面（前面）側を覆うように構成されている。
【００２９】
さらに、前面扉（表枠）５の表面（前面）には、表枠開口部７の下側に、皿ユニット１５が設けられており、当該皿ユニット１５は、貸出球や賞球を貯留するための上皿１７と、上皿１７の下方側に設けられ、例えば上皿１７が満杯時に溢れた遊技球などを貯留することが可能な下皿１９とが設けられている。本実施形態では、この下皿１９を、案内装置（各台計数装置）３５の上方に位置する受け皿として説明する。
【００３０】
また、上皿１７には、球貸しを受けるための球貸ボタン２９、遊技媒体取扱装置（台間玉貸機）３５からカードを返却するための返却ボタン３１などのほか、所定の遊技中に遊技者が操作（回転操作、押圧操作）することで各種演出の表示態様に変化を与えるための操作ユニット３３が設けられている。なお、操作ユニット３３の配置構成（位置、向き）について、特に制限はないが、図面では一例として、上皿１７から垂直方向に突出させて構成配置されている。
【００３１】
本体枠構成部材には、各種制御基板・中継基板などがある。
なお、図示はしないが、本体枠３において、上記表枠開口部７に対向した所定位置に、当該表枠開口部７とほぼ同形状を成した開口部が設けられている。また本体枠構成部材はこれらに限定されるものではなく、本体枠３を構成する部材は全て含まれるものである。
【００３２】
案内装置（各台計数装置）３５は、下皿（受け皿）１９の直下で、かつ前面扉５の下端縁よりも下位に位置するように外枠の下端正面側に一体に取り付け固定されている（図１−図３、図７）。
すなわち、前面扉５の下端縁９よりも下位に案内装置本体３７が位置するように備えられ、飛び跳ね防止部５５は、可能な限り上方の下皿（受け皿）１９方向に向けて立ち上がっていることが遊技球の飛び跳ね（飛び出し）防止の観点から好ましいため、飛び跳ね防止部５５は、前面扉５の閉じている状態で前面扉の下端縁よりも上位に位置するように備えられている（図１−図３）。
【００３３】
案内装置（各台計数装置）３５は、案内装置本体３７と、飛び跳ね防止部５５とで構成されており、案内装置本体３７には筐体３９の中央に案内部（計数皿）４１が設けられ、そして、図１において案内部４１の向かって左側には、前記案内部４１と連通し、遊技媒体取扱装置（台間玉貸機）７７と接続する装着部４９が一体に設けられ、そして、案内部４１の向かって右側には、遊技者が発射装置２７のハンドルを操作する際に、操作する手を乗せるための手置部５３が一体に設けられている（図１、図４、図７）。
【００３４】
装着部４９は、遊技媒体取扱装置７７の下端領域に備えられている図示しない計数用投入口及び端数用払出口を覆うように遊技媒体取扱装置７７の下端に一体に装着される。
【００３５】
案内部４１は、下皿（受け皿）１９から排出されて落下する遊技球（出玉）を受け入れる空間部４３と、空間部４３に落下した遊技球を、遊技媒体取扱装置７７の計数部（計数ユニット）へと流下案内させる計数用通路４７が設けられている。なお、案内部４１の内面には、落下した遊技球の衝撃を緩和させるためにゴム材などからなる弾性シートを配設することも可能で本発明の範囲内で適宜選択可能である。
計数用通路４７は、遊技媒体取扱装置７７に備えられる計数部（計数ユニット）の計数用投入口に向けて複数条の通路が下り傾斜状に形成されている（図４、図７）。計数用通路４７は、本実施形態では３条備えているが、２条でも４条以上でも、あるいは一条でもよく本発明の範囲内で設計変更可能である。
【００３６】
飛び跳ね防止部５５は、案内部４１の空間部４３の開口部上縁の周囲に壁状に立ち上げられるように備えられ、常時、付勢されて上方に向けて突出する第一の位置５７と、前記前面扉５の開閉動作に追従して第一の位置５７から退避する第二の位置５９に変位可能に構成されている。
【００３７】
本実施形態における飛び跳ね防止部５５の一例を説明する。
例えば本実施形態では、水平方向で所定間隔をあけて位置する両端部６１（６１ａ，６１ｂ）と、両端部６１（６１ａ，６１ｂ）からそれぞれ前方に向けて平行状に一体に設けられる左右の平行壁部６３（６３ａ，６３ｂ）と、左右の平行壁部６３（６３ａ，６３ｂ）から、それぞれ緩やかな湾曲をもって一体に連続して設けられる左右の湾曲壁部６５（６５ａ，６５ｂ）と、左右の湾曲壁部６５（６５ａ，６５ｂ）間に一体に連続して設けられる前面壁部６７とで構成された平面視で略Ｃ字形状に形成されている（図４−図７）。
そして、少なくとも湾曲壁部６５（６５ａ，６５ｂ）の下端には前方に向けて水平方向に突出するストッパ部６９が設けられている（図５）。
ストッパ部６９の設けられる位置は湾曲壁部６５の下端に限らず他の位置であってもよく、また、飛び跳ね防止部５５の下端全領域にわたって設けるものであっても良い。
また、両端部６１（６１ａ，６１ｂ）から左右の平行壁部６３（６３ａ，６３ｂ）、湾曲壁部６５（６５ａ，６５ｂ）、そして前面壁部６７の中央部分に行くに従って、矢印Ｘ１で示す方向の緩やかな昇り傾斜を持って連続した頂面７１が形成されるように高さ方向（図中Ｈで示す方向）の幅を段々と厚くなるように形成している（図１−図７）。
【００３８】
また、平行壁部６３（６３ａ，６３ｂ）と湾曲壁部６５（６５ａ，６５ｂ）の双方は、それぞれの前面６３０，６５０が昇り傾斜状に形成されている。
すなわち、このように昇り傾斜状に形成しているのは、前面扉５の下端縁９がその昇り傾斜状の前面６３０，６５０に接してガイドされながら飛び跳ね防止部５５を押下げ可能だからである。
特に、この前面６３０，６５０が前面扉５と接するのは、前面扉５が閉じる方向（矢印Ａ１で示す方向）に移動してくるときの前面扉５の軸支位置寄りの平行壁部６３ｂ又は湾曲壁部６５ｂの前面６３０，６５０であるため、少なくともこの前面にあっては昇り傾斜状に形成する。
【００３９】
案内装置本体３７の筐体３９の表面、すなわち、案内部４１の空間部４３の開口部上縁の周囲には、飛び跳ね防止部５５が出没可能な連続した一条の隙間４５が形成されている（図４、図５）。
【００４０】
飛び跳ね防止部５５は、前記案内部４１の開口部上縁を囲むように両端部６１（６１ａ，６１ｂ）を遊技機１寄りに位置せしめて案内装置本体３７に備えられている（図１−図７）。
両端部６１（６１ａ，６１ｂ）は、筐体３９内面の所定箇所に軸着され、飛び跳ね防止部５５を上下方向に回動可能に取り付けるとともに、両端部６１（６１ａ，６１ｂ）には、筐体３９内面との間で弾性部材（例えばトーションバネなど）７３が配設されている（図３、図５、図６）。これにより飛び跳ね防止部５５の全体が、両端部６１（６１ａ，６１ｂ）を軸にして、常時、上方に向けて突出するように付勢される（第一の位置５７）。
なお、飛び跳ね防止部５５を筐体３９に取り付ける際には、少なくとも、前記両端部６１（６１ａ，６１ｂ）の頂面は、前面扉５の下端縁９よりも低い位置になるようにする。前面扉５を開放するときに、端部６１（６１ａ）の頂面７１がガイドとなって移動の際の案内となるからである。
【００４１】
また本実施形態では、少なくとも前面扉５の軸支側（図１で向かって左側）に位置する飛び跳ね防止部５５の湾曲壁部６５（６５ｂ）の前面６５０部分に、前面扉ガイド部７５が一体に突設されており、前面扉ガイド部７５は、前記前面扉５の閉じる方向（遊技機に向かうＡ１方向）に向けて昇り傾斜状に形成されている（図３、図４、図７）。
なお、本実施形態では、所定間隔をあけて３個形成している。これは、設置対象となる遊技機１によって、前面扉５の軸支位置が異なっていることがあり、前面扉５を閉じるときの最初に接する位置が異なってくるため、それらに対応すべく複数個設置するものとしている。なお、このように前面扉ガイド部７５を設ける形態の場合にあっては、平行壁部６３（６３ｂ）と湾曲壁部６５（６５ｂ）の双方の前面６３０，６５０を昇り傾斜状に形成しなくてもよい。具体的には、前後方向にガイド部７５を設けることによって昇り傾斜状である場合と同じ効果が得られるものであれば形状が限定されるものではない。
【００４２】
まず、前面扉５を開放する場合について説明する。
飛び跳ね防止部５５は、遊技機１の受け皿（下皿）１９から排出されて落下する遊技球が案内装置３５の案内部４１から飛び跳ねない（飛び出さない）ように案内部４１の上縁周囲に壁状に立ち上がっている（第一の位置５７）。
そして、例えば、遊技領域において玉詰まりなどが発生した場合、その玉詰まりを解消するために前面扉５を軸支部を中心にして水平方向に開放移動することがある。そのとき、前面扉５の下端縁９が飛び跳ね防止部５５の端部６１（反軸支側に位置している端部６１ａ）の頂面７１に案内され、そのまま開放方向へと前面扉５を軸支部を中心に開放移動させると、前面扉５の下端縁９が飛び跳ね防止部５５の頂面７１に沿って移動する。このように前面扉５が頂面７１に沿って移動することで、前記飛び跳ね防止部５５は、前面扉５により前記付勢力に抗して下方に押下げられて第一の位置５７から第二の位置５９に変位する（図２（Ａ）−（Ｂ）の状態）。
そして、飛び跳ね防止部５５を越えて前面扉５がさらに回動すると、前記付勢力に抗していた押圧力（押下げ力）がなくなるため、弾性部材７３によって飛び跳ね防止部５５は案内装置３５の案内部４１の上縁周囲に立ち上げ配置され第一の位置５７に変位する（図２（Ｂ）−（Ｃ）の状態）。
従って、前面扉５を開放する以前に飛び跳ね防止部５５は前面扉５の下端縁９よりも上方に位置するように壁状に立ち上がっている（第一の位置５７）が、前面扉５の開放動作が開始することで常に前面扉５の下端縁９によって下方（案内部４１の空間部４３内）に押し下げられる（第二の位置５９に変位する）ため、前面扉５が飛び跳ね防止部５５に干渉してしまうといった不具合は生じ得ない。
【００４３】
次に、前面扉５を閉じる場合について説明する。
本実施形態によれば、前面扉５が閉じる際に、まず、飛び跳ね防止部５５の湾曲壁部６５（６５ｂ）の前面６５０部分に設けられている前面扉ガイド部７５に前面扉５の下端縁９が接する（図３（Ａ）−（Ｂ）の状態）。
【００４４】
そして、そのまま前面扉５を閉じる方向に移動（回動）すると、前面扉５の下端縁９によって前面扉ガイド部７５が下方に押圧され、飛び跳ね防止部５５を下方（案内部４１の空間部４３内）に押し下げつつ移動する。そしてその後、飛び跳ね防止部５５の頂面７１に接しながら移動するときに、飛び跳ね防止部５５はさらに下方（案内部４１の空間部４３内）に押下げられ（第一の位置５７から第二の位置５９へと変位され）、その状態を維持しつつ前面扉５が移動する（図３（Ｂ）−（Ｃ）の状態）。
【００４５】
そして、飛び跳ね防止部５５を越えて前面扉５がさらに回動する（前面扉５を完全に閉扉する）と、前記付勢力に抗していた押圧力（押下げ力）がなくなるため、弾性部材７３によって飛び跳ね防止部５５は案内装置３５の案内部４１の上縁周囲に立ち上げ配置され第一位置５７に変位する（図２（Ｂ）−（Ｃ）の状態）。
【００４６】
従って、前面扉５を閉扉する以前に飛び跳ね防止部５５は前面扉５の下端縁９よりも上方に位置するように壁状に立ち上がっている（第一の位置５７）が、前面扉５の閉扉動作が開始することで常に前面扉５の下端縁９によって下方（案内部４１の空間部４３内）に押し下げられる（第二の位置５９に変位する）ため、前面扉５が飛び跳ね防止部５５に干渉してしまうといった不具合は生じ得ない。
【００４７】
遊技機１の下皿１９から案内装置３５の案内部４１に落下した遊技球は、案内装置３５内に設けられた計数用通路４７を介して、遊技媒体取扱装置７７の計数用投入口（図示省略）に投入されて計数装置（計数ユニット）によって計数される。
また、端数用払出口（図示省略）から払い出された端数の遊技球は、案内装置３内に設けられた端数用通路（図示省略）を介して、端数玉払出用として専用に設けられた払出皿５１に払い出される。
遊技者は、この払出皿５１に払い出された端数の遊技球を遊技機１の上皿１７などに移動させて遊技に用いることができる。
【００４８】
遊技媒体取扱装置７７は、前面部７９と筐体８１とから構成され、前面部７９には、状態表示灯８３、カード挿入口８５、紙幣を投入可能な紙幣投入口８７、タッチパネルＬＣＤ８９、カメラ部９１、非接触ＩＣカードリーダライタ９３、スピーカカバー９５、そして図示しない計数用投入口と端数用払出口等が設けられている（図１）。
【００４９】
遊技媒体取扱装置７７は、スイッチングハブやコントローラ等を介してサーバ装置と接続されており、遊技者によりカードが挿入されると、当該カードのＩＣチップ等に付加されたカードＩＤや会員ＩＤ等の識別情報（以下、単に「識別情報」という。）を図示しないサーバ装置に送信し、サーバ装置は、受信した識別情報に対応付けて記憶されたその遊技者の持玉情報を遊技媒体取扱装置７７に送信する。
そして、遊技者からの払出指示がある場合には、サーバ装置は、持玉情報を更新し、遊技媒体取扱装置７７は、払出装置を駆動させ、遊技球の払出制御を実行する。また、遊技者により紙幣が投入されると、その紙幣の額（投入金額）に応じた残額情報をサーバ装置に送信する。そして、遊技者からの払出指示がある場合には、サーバ装置は、残額情報を更新し、遊技媒体取扱装置７７は、同様に遊技球の払出制御を実行する。
【００５０】
案内装置３５に落下した遊技球は、遊技媒体取扱装置７７へと送られ、計数部に投入される。そして、投入された遊技球は計数され、計数結果を遊技者の計数持玉情報としてサーバ装置に送信し、サーバ装置は、受信した計数持玉情報をカードに付加された識別情報と対応付けて記憶する。また、カードが挿入されていない場合には、遊技媒体取扱装置１に貯留されている計数カードに予め付加されている識別情報と対応付けて受信した計数持玉情報を記憶する。
【００５１】
なお、本実施形態においては、遊技者の持玉情報及び残額情報をサーバ装置が管理することとしているが、これらの情報を遊技媒体取扱装置７７が管理することとしてもよい。
また、カードに識別情報を付加するだけでなく記憶領域をも設け、当該記憶領域にこれらの情報を記憶させ、これらの情報の管理を行うこととしてもよい。そして、これらの情報の更新については、サーバ装置が行うこととしても、遊技媒体取扱装置７７が行うこととしてもよい。さらには、持玉情報については、サーバ装置又は遊技媒体取扱装置７７が管理し、残額情報については、カードの記憶領域に直接記憶されることとしてもよい。
すなわち、識別情報、持玉情報及び残額情報が適切に管理、更新される態様であれば、それら全ての態様は、本発明に適用できるものとする。
【００５２】
カードの返却要求があった場合に、遊技媒体取扱装置７７、又はサーバ装置が、遊技媒体取扱装置７７に貯留されている計数カードに識別情報を新たに付加することとし、この新たに付加された識別情報と計数持玉情報又は残額情報とを対応付けて記憶することとしてもよい。
【００５３】
また、遊技媒体取扱装置７７は、遊技機１に遊技球等貸出装置接続端子板（貸出端子板）が設けられている場合には、貸出端子板とも接続され、当該貸出端子板から出力される貸出要求信号や返却要求信号等を受信したことに基づいて、遊技機１への払出要求信号の送信やカードの返却等を行う。
【００５４】
なお、本実施形態における遊技媒体取扱装置７７では、遊技機１の貸出端子板からの貸出要求信号を受信し、又は遊技媒体取扱装置７７に対する遊技者からの払出指示を受けると、供給部から遊技機内部の供給用通路を介して、直接的に貸出要求信号に応じた玉数（例えば、１２５玉）を遊技機１の上皿１７に払い出す制御を行うこととしているが、これに限られるものではなく、例えば、前面部７９であって遊技機１の上皿１７よりも上方の箇所に玉払出口を設けるとともに、その玉払出口から払い出された遊技球を遊技機１の上皿１７に案内するノズルを着脱可能に設け、その玉払出口から貸出要求信号に応じた玉数を払い出す制御を行うこととしてもよい。すなわち、そのノズルにより間接的に遊技機１に対して遊技球を払い出すように構成することとしてもよい。加えて、上記の直接的な払い出し、又は間接的な払い出しのいずれをも選択的に行えるように構成することとしてもよい。
【００５５】
なお、端玉数があるときは、飛び跳ね防止部５５が退避した（第二の位置５９に位置した）ことに応じて、払出皿５１への払い出しを規制するようにすることも可能である。
【００５６】
飛び跳ね防止部５５が退避している（第二の位置５９に位置している）ときは前面扉５が開放されているときであるため、飛び跳ね防止部５５の退避に応じて前面扉５開放の警告（警報など）を発するようにすることも可能である。また、タッチパネルＬＣＤ（データ表示機）８９で前面扉５の開放状態を報知することも可能である。
通常であれば、遊技機１からの前面扉５の開放信号（エラー信号）に応じてエラー報知を行なうものと考えられるが、遊技機１からの信号に基く報知と、飛び跳ね防止部５５が退避した（第二の位置５９に位置した）ことによる報知と、遊技機１からの前面扉５開放の信号と飛び跳ね防止部５５が退避した（第二の位置５９に位置した）ことを検知した場合の報知とを、異なるようにしてもよい。
【００５７】
飛び跳ね防止部５５が退避している（第二の位置５９に位置している）ときには、遊技媒体取扱装置７７から遊技機１の上皿１７への払い出しを行なわないように制御してもよい。具体的には、遊技媒体取り扱い装置７７に備えられる図示しないノズルから遊技球が払い出されないように制御する。
【００５８】
また、本実施形態では、飛び跳ね防止部５５の上方への付勢手段として、両端部６１に備えたトーションバネからなる弾性部材７３をもって説明したが、これに限定解釈されることなく他の付勢手段を本発明の範囲内で設計変更可能である。例えば、飛び跳ね防止部５５の下端（例えば、ストッパ部６９）と案内部４１の空間部４３底面との間に、常時上方に向けて付勢する弾性部材、例えばコイル状の圧縮バネ等を複数個配設して構成することも可能で本発明の範囲内である。
【００５９】
本発明において、案内装置（各台計数装置）３５は、遊技媒体を計数するための計数装置（計数ユニット、計数手段、センサ等の遊技媒体の通過を検知する手段、計数用のプログラムやドライバなど）を搭載している場合と、搭載していない場合が存在するが、何れであったとしても適用可能である。
【００６０】
また、本実施形態においては案内部４１を設けているが、形状などは限定されず、遊技機の下皿１９の遊技媒体を計数手段へ導けるものであればよく飛び跳ね防止部５５は、遊技機の前面扉５を動かしたときに前面扉５から離れる方向へ退避するような構造を有し、下皿１９の遊技媒体を計数手段へ誘導することを補助する、又は導くような構造を有するものであればよい。
さらに、飛び跳ね防止部５５は、下皿１９に対して案内部４１のような機能を有するもの（例えば、計数手段への誘導手段）を固定するものとして取り付けられていても前面扉５の移動に応じて可動するものであれば適用することができる。
【００６１】
特に、上皿や下皿のいずれか、又は双方が無い遊技機であったとしても、遊技機の前面扉５の移動に応じて飛び跳ね防止部５５が可動（移動）することが想定されるが、これに限定されるものではなく、遊技機の部材のいずれかが移動し、この移動に応じて飛び跳ね防止部５５が可動する構造であったとしても適用することが可能である。例えば、遊技機のいずれかの部材が前方ではなく、後方などに動いた場合であって、後方に飛び跳ね防止部５５が設けられ、遊技機の部材の移動に応じて飛び跳ね防止部５５が可動（移動）するといった場合も想定されるため、移動する方向も上下前後左右など特に限定されない。
【００６２】
また、本実施形態において飛び跳ね防止部５５は、前面扉５の閉じている状態で前面扉５の下端縁よりも上位に位置すると記載したが、これに限られるものではない。例えば、前面扉５の下端縁より上位に位置せずとも、遊技機の意匠によっては前面扉５の装飾部材などが飛び跳ね防止部５５と接触する可能性があり、このような場合であっても前面扉５の移動に応じて飛び跳ね防止部５５が移動すると表現することが可能である。
【００６３】
なお、上記したとおり、前面扉５が飛び跳ね防止部５５の後方から前方へ移動する、又は、前方から後方へ移動するとは、前面扉５が飛び跳ね防止部５５と接触、又は、近接する位置から移動を開始する場合であってもこれを含み得るものである。
より、具体的に表現すれば、飛び跳ね防止部の後方に前面扉が存在する場合、例えば、前面扉の全体が飛び跳ね防止部の後方に存在する場合と、前面扉の一部が部分的に飛び跳ね防止部の後方に存在する場合との双方を含むものである。これは飛び跳ね防止部の前方に前面扉が存在するとした場合についても同様で、前面扉の全体が飛び跳ね防止部の前方に存在する場合と、前面扉の一部が部分的に飛び跳ね防止部の前方に存在する場合との双方を含むものである。
すなわち、上記については、飛び跳ね防止部と前面扉とを平面で見たときに、それぞれの位置が重なるか重ならないかについては限定されないことを想定しており、前面扉の開放移動の開始位置が、平面で見たときに飛び跳ね防止部と重なる位置であったとしても、前面扉が飛び跳ね防止部の後方にあると表現することが可能であり、飛び跳ね防止部の前方にあるとした表現についても同様である。
【００６４】
「第二実施形態」
図８乃至図９は本発明の第二実施形態を示す。
本実施形態は、案内装置３５の飛び跳ね防止部５５の形態において第一実施形態と相違するため、その相違部分である飛び跳ね防止部５５の構成についてのみ説明し、その他の構成及び作用効果の説明は第一実施形態を援用する。
【００６５】
本実施形態の飛び跳ね防止部５５は、全体の構成は第一実施形態と同じであるが、平行壁部６３、湾曲壁部６５、前面壁部６７の全てにわたって、前面１０１と頂面１０３と背面１０５とで構成され、前面１０１を広い昇り傾斜状の面部とした断面視で三角形状に形成されている。なお、両端部６１や弾性部材７３やストッパ部６９などその他の構成は第一実施形態と同じである。
すなわち、このように広い昇り傾斜状の面部（前面１０１）を設けたのは、前面扉５が閉じる際に前面扉５の下端縁９がその広い昇り傾斜状の面部（前面１０１）に接してガイドされながら飛び跳ね防止部５５を下方（案内部４１の空間部４３内）に押下げるときに安定して前面扉５の下端縁９が接することができるからである。
【００６６】
ただし、飛び跳ね防止部５５の中央部をストッパ部６９、又は下端縁９、又は案内装置本体３７に対して垂直にしても良い。このとき、飛び跳ね防止部５５の左右に広い昇り傾斜状の面部が設けられ、左右から中央部に近づくにつれ傾斜角度がきつくなる（垂直に近づく）ようにすることも可能である。
【００６７】
また、図９（Ｂ）では、飛び跳ね防止部５５の前方側（下端側）に、ストッパ部６９よりも後方であって、昇り傾斜状の面部（前面１０１）との間に垂直面７０を設けているが、これに限定解釈されるものではなく、垂直面７０を設けずに、ストッパ部６９から連続して昇り傾斜状の面部（前面１０１）を設ける構成であってもよい。
【００６８】
「第三実施形態」
図１０乃至図１１は本発明の第三実施形態を示す。
本実施形態は、案内装置３５の飛び跳ね防止部５５の形態において第一実施形態と相違するため、その相違部分である本実施形態の飛び跳ね防止部５５の構成についてのみ説明し、その他の構成及び作用効果は第一実施形態を援用する。本実施形態の飛び跳ね防止部５５は、段階的に出没可能な構成としている実施の一形態である。
【００６９】
例えば、案内装置３５の筐体３９表面にて出没可能な底面の大きい第一の飛び跳ね防止部１０７（５５）と、その第一の飛び跳ね防止部１０７（５５）の上面にて出没可能な底面の小さい第二の飛び跳ね防止部１１５（５５）とで構成されている。
【００７０】
第一の飛び跳ね防止部１０７（５５）は、全体構成として第一実施形態と同じく両端部６１（６１ａ，６１ｂ）、左右の平行壁部６３（６３ａ，６３ｂ）、左右の湾曲壁部６５（６５ａ，６５ｂ）、前面壁部６７とで構成されているが、前面１０９と頂面１１１と背面１１３とで構成され、頂面１１１を幅広とした断面視略台形状に形成されている点で異なっている。
そして、頂面１１１の全域にわたって第二の飛び跳ね防止部１１５（５５）が出没可能な隙間１１１ａが形成されている。
【００７１】
第二の飛び跳ね防止部１１５（５５）は、第二実施形態と同じように前面１１７と頂面１１９と背面１２１とで構成される断面視で三角形状に形成し、そのストッパ部１１５ａを第一の飛び跳ね防止部１０７（５５）の頂面１１１の内面１１１ｂに当接させるようにしている。
第二の飛び跳ね防止部１１５（５５）の底面は、第一の飛び跳ね防止部１０７（５５）の頂面１１１よりも小さく形成されている。
なお、図示はしないが、第二の飛び跳ね防止部１１５（５５）にあっても、両端部６１（６１ａ，６１ｂ）をトーションバネなどの弾性部材６７で常時上方に向けて突出するように付勢する。
【００７２】
なお、図示は省略するが、第二の飛び跳ね防止部１１５（５５）の安定した出没動作を得るために、第二の飛び跳ね防止部１１５（５５）の所定位置に一個乃至複数個のガイド突部を設け、第一の飛び跳ね防止部１０７（５５）には、そのガイド突部が案内可能なガイド溝部を設けるものとするとよい。
【００７３】
従って、本実施形態によれば、前面扉５を開放する時には、前面扉５の下端縁９が第二の飛び跳ね防止部１１５（５５）の頂面１１９に沿って移動して第二の飛び跳ね防止部１１５（５５）を、その付勢力に抗して下方（第一の飛び跳ね防止部１０７（５５）の内方）に押下げながら、続いて第一の飛び跳ね防止部１０７（５５）を、その付勢力に抗して下方（案内部４１の空間部４３内）に押下げて前面扉５は開放方向へと水平移動する（第一の位置５７から第二の位置５９へと変位する。）。
【００７４】
そして、前面扉５を閉じる時には、第一の飛び跳ね防止部１０７（５５）の湾曲壁部６５の前面６５０（１０９）部分に前面扉５の下端縁９が接する。
そして、そのまま前面扉５を閉じる方向に移動（回動）すると、前面扉５の下端縁９によって第一の飛び跳ね防止部１０７（５５）が押圧され、第一の飛び跳ね防止部１０７（５５）を下方（案内部４１の空間部４３内）に押し下げつつ移動する（図１１（Ｂ））。
そしてその後、第二の飛び跳ね防止部１１５（５５）の湾曲壁部６５の前面６５０（１１７）部分に接しながら移動し、第二の飛び跳ね防止部１１５（５５）の頂面１１９に前面扉５の下端縁９が接し、第二の飛び跳ね防止部１１５（５５）を下方（第一の飛び跳ね防止部１０７内）に押下げつつ前面扉が移動する（図１１（Ｂ））。
【００７５】
本実施形態によれば、第一の飛び跳ね防止部１０７（５５）と第二の飛び跳ね防止部１１５（５５）がそれぞれ段階的に出没動作するため、飛び跳ね防止部５５の安定した出没動作（退避動作）が可能となる。なお、飛び跳ね防止部５５（第一の飛び跳ね防止部１０７と第二の飛び跳ね防止部１１５）の弾性部材７３や第一の飛び跳ね防止部１０７のストッパ部６９などその他の構成は第一実施形態と同じである。
また、図１１（Ｂ）では、第一の飛び跳ね防止部１０７（５５）と第二の飛び跳ね防止部１１５（５５）においても、第二実施形態と同様に、ストッパ部６９（１１５ａ）よりも後方であって、昇り傾斜状の面部（前面１０１）との間に垂直面７０を設けているが、これに限定解釈されるものではなく、垂直面７０を設けずに、ストッパ部６９（１１５ａ）から連続して昇り傾斜状の面部（前面１０１）を設ける構成であってもよい。
【００７６】
「第四実施形態」
図１２乃至図１３は本発明の第四実施形態を示す。
本実施形態は、案内装置３５の飛び跳ね防止部５５の形態において第一実施形態と相違するため、その相違部分である本実施形態の飛び跳ね防止部５５の構成についてのみ説明し、その他の構成及び作用効果は第一実施形態を援用する。
【００７７】
本実施形態の飛び跳ね防止部５５は、第三実施形態と同じく段階的に出没動作（退避動作）が可能な構成であるが、第一の飛び跳ね防止部１２３（５５）は、第三実施形態とは異なり、前面１２３ａと頂面１２３ｂで構成され、背面を備えていない。
また、第二の飛び跳ね防止部１２５（５５）は、第二実施形態と同じように、前面１２５ａ、頂面１２５ｂ、背面１２５ｃとで構成される断面視で三角形状に形成されている。
なお、弾性部材７３やストッパ部６９などその他の構成は第一実施形態と同じである。
本実施形態によれば、第二の飛び跳ね防止部１２５（５５）が、第一の飛び跳ね防止部の頂面に設けた隙間内を上下方向に移動（出没）するものではないため、出没動作がより円滑である。
また、図１３（Ｂ）では、第一の飛び跳ね防止部１２３（５５）と第二の飛び跳ね防止部１２５（５５）においても、第二実施形態と同様に、ストッパ部６９（１１５ａ）よりも後方であって、昇り傾斜状の面部（前面１０１）との間に垂直面７０を設けているが、これに限定解釈されるものではなく、垂直面７０を設けずに、ストッパ部６９（１１５ａ）から連続して昇り傾斜状の面部（前面１０１）を設ける構成であってもよい。
【００７８】
「第五実施形態」
図１４乃至図１６は本発明の第五実施形態を示す。
本実施形態は、案内装置３５の飛び跳ね防止部５５の形態自体は第一実施形態の飛び跳ね防止部５５の形態と同じであるが、飛び跳ね防止部５５の退避動作（第二の位置５９への変位動作）に連動して計数用通路４７を遮蔽可能な遮蔽機構１２７を備えた点において第一実施形態と相違する。よって第一実施形態と相違する部分についてのみ説明し、その他の構成及び作用効果についての説明は第一実施形態を援用する。
【００７９】
遮蔽機構１２７は、計数用通路４７の溝内に挿入可能な爪部１３１を備えた遮蔽板１２９と、遮蔽板１２９を常時上方へと押上げるように付勢する遮蔽板支持部１３３とで構成されている。
【００８０】
遮蔽板１２９の爪部１３１は、計数用通路４７に存している遊技球上に降りてきた際に、遊技球を挟み込まない（玉詰まりしない）ように傾斜状の面部１３１ａをもって形成されている（図１４、図１５）。
【００８１】
遮蔽板支持部１３３は、案内部４１の空間部４３内に立設した基部１３５と、基部１３５の所定位置に、図示しない弾性部材（例えばトーションバネ等）を介して常時上方に向けて付勢するように一端１３７を軸支して突出させた支持棒１３９とで構成され、支持棒１３９の他端１４１側を遮蔽板１２９の所定位置に軸支してなる。
【００８２】
飛び跳ね防止部５５は、全体形状は第一実施形態の飛び跳ね防止部５５と同じであるが、本実施形態では、例えば平行壁部６３（６３ｂ）の下端に押下げ部１４３を一体に形成しており、前記押下げ部１４３は、前記遮蔽板支持部１３３の支持棒１３９上に位置するように構成されている。
【００８３】
従って、飛び跳ね防止部５５が退避動作（第一の位置５７から第二の位置５９への変位動作）を開始すると同時に、平行壁部６３（６３ｂ）の下端に設けられている押下げ部１４３が、遮蔽板支持部１３３の支持棒１３９を押下げる。
この支持棒１３９の押下げ動作により、支持棒１３９が、軸支された一端１３７を支点として下方に回動して遮蔽板１２９を計数用通路４７へと押下げる。そして押下げられた遮蔽板１２９の爪部１３１が計数用通路４７に挿入されて遊技球の計数用投入口への流路を閉鎖する。
また、この遮蔽板１２９による計数用投入口への流路閉鎖動作をセンサなどで検出して計数手段が作動しないように制御することも可能である。
なお、飛び跳ね防止部５５の退避動作（第一の位置５７から第二の位置５９への変位動作）が終了すると、遮蔽板支持部１３３の支持棒１３９への押下げ動作も解除されるため、遮蔽板１２９は遮蔽板支持部１３３によって上方に持ち上げられて計数用通路４７の遮蔽状態も解除される。
【００８４】
遮蔽機構１２７は本実施形態の構成に何等限定されるものではなく、飛び跳ね防止部５５の退避動作（第一の位置５７から第二の位置５９への変位動作）に追従して遮蔽板１２９が計数用通路４７を遮蔽する構成を有していればよく本発明の範囲内で設計変更可能である。
また、本実施形態では、遮蔽機構１２７を飛び跳ね防止部５５とは別機構とした実施の一形態を説明したが、計数用通路４７の直上に位置する飛び跳ね防止部５５の下端に一体に備える形態とすることも可能である。
【００８５】
「第六実施形態」
図１７乃至図１９は本発明の第六実施形態を示す。
本実施形態は、案内装置３５の飛び跳ね防止部５５の形態自体は第二実施形態の飛び跳ね防止部５５の形態と略同じであるが、飛び跳ね防止部５５の退避動作（第一の位置５７から第二の位置５９への変位動作）に連動し、飛び跳ね防止部５５の退避状態をロック可能な操作手段１４７を備えた点において第一実施形態乃至第五実施形態と相違する。よって第一実施形態乃至第五実施形態と相違する部分についてのみ説明し、その他の構成及び作用効果についての説明は第一実施形態乃至第五実施形態を援用する。
【００８６】
本実施形態の飛び跳ね防止部５５は、その全体構成を第二実施形態の飛び跳ね防止部５５と略同じ構成としているが、本実施形態では、飛び跳ね防止部５５の下端に、後方に向けて水平方向に突出するストッパ部１４５を一体に突設している。すなわち、ストッパ部１４５の突出向きが、ストッパ部６９と逆向きである（図１９）。
【００８７】
操作手段１４７は、箱状の操作部１４９と、操作部１４９の先端側に一体に設けられた係止部１５３と、係止部１５３と操作部１４９との間に設けられる傾斜面状のガイド面部１５５とで構成されている。ガイド面部１５５は、操作部１４９の頂面端縁１５１から係止部１５３に向けて下り傾斜状に形成されている。本実施形態では、操作部１４９の頂面の幅と同一幅でガイド面部１５５と係止部１５３が形成されており、かつ緩やかな湾曲状に形成されたストッパ部１４５に合致するように、係止部１５３も湾曲状に形成している。
【００８８】
操作手段１４７は、案内装置３５の筐体３９の前面略中央位置に設けられたスライド孔部１５７に前後摺動可能に配設されている。
図中１５９はスライド案内機構で、操作部１４９の側面に係止溝１６１を設けるとともに、案内装置３５の空間部４１内に備えられ、係止溝１６１に摺動可能に係止される係止突起１６３とで構成されている。
【００８９】
本実施形態によれば、前面扉５を開放して飛び跳ね防止部５５が下方に退避される（押下げられる）と、飛び跳ね防止部５５の下端（ストッパ部１４５）が操作部１４９のガイド面部１５５にあたり、そのまま退避動作が続くと、ガイド面部１５５に沿って飛び跳ね防止部５５の下端（ストッパ部１４５）が案内されるとともに操作部１４９も筐体３９外方に向けて押し出され、飛び跳ね防止部５５は最も退避した状態（第二の位置５９）で係止部１５３にストッパ部１４５が係止される（図１８、図１９（Ｂ））。
すなわち、飛び跳ね防止部５５は、自己の上方への付勢力によって上昇しようとするが、ストッパ部１４５が係止部１５３に係止されてロック状態となるため、飛び跳ね防止部５５の上昇動作は抑止される。
従って、この状態で、飛び跳ね防止部５５は、操作部１４９によって固定され、前面扉５の開閉動作が終了した場合（飛び跳ね防止部５５の頂面７１から前面扉５の下端縁９が外れた場合）であっても、操作部１４９によるロック状態を解除しなければ飛び跳ね防止部５５は第二の位置５９に退避したままである。
【００９０】
ロック状態を解除するには、操作部１４９を筐体３９内方に向けて押し込めばよい。すなわち、操作部１４９を押し込むことにより、係止部１５３がロック状態の位置（図１９（Ｂ）の位置）から後方（空間部４３内方）に向けて移動するため、ストッパ部１４５との係止状態が解除される。よって、操作部１４９による係止状態が解除された飛び跳ね防止部５５は付勢力によって上方へと移動し、筐体の表面に突出して第一の位置５７に変位する（図１７、図１９（Ａ））。
【００９１】
上述した第一実施形態乃至第五実施形態の各構成にあっては、それぞれ他の実施形態において本発明の範囲内で適宜援用したり変更したりして、任意の構成での組合せが可能である。
また、上記各実施形態では別個の上皿１７と下皿１９とからなる遊技機に本発明を適用する例で説明をしたが、上皿と下皿が一体に形成された遊技機に本発明を適用することも可能である。
【産業上の利用可能性】
【００９２】
本発明は、パチンコ遊技機の他、パチスロ機、スロットマシーン及びルーレットマシーン等のゲーミングマシーンにも利用可能である。
また、遊技機以外、例えば島単位、又は遊技場に設けられた計数装置、又は遊技媒体に関する何らかの装置に対しても飛び跳ね防止部の構成を適用することができる。このような場合には、作業扉の開閉、球貯留部や球循環器、あるいは球循環器を収納する収納部の扉の開閉、又は紙幣をストックするストック用の収容部の扉の開閉など、遊技機の周辺機器、遊技場の設備に設けられた扉の開閉に応じて駆動するような構造であれば本発明の構造・構成などを適用することが可能である。
【符号の説明】
【００９３】
１  遊技機
１９  受け皿（下皿）
３５  案内装置
４１  案内部
４７  計数用通路
５５  飛び跳ね防止部
５７  第一の位置
５９  第二の位置
６１  両端部
６３  平行壁部
６５  湾曲壁部
６７  前面壁部
７１  頂面
７３  弾性部材
７７  遊技媒体取扱装置
【図１】
0006612572.tif 000002
【図２】
0006612572.tif 000003
【図３】
0006612572.tif 000004
【図４】
0006612572.tif 000005
【図５】
0006612572.tif 000006
【図６】
0006612572.tif 000007
【図７】
0006612572.tif 000008
【図８】
0006612572.tif 000009
【図９】
0006612572.tif 000010
【図１０】
0006612572.tif 000011
【図１１】
0006612572.tif 000012
【図１２】
0006612572.tif 000013
【図１３】
0006612572.tif 000014
【図１４】
0006612572.tif 000015
【図１５】
0006612572.tif 000016
【図１６】
0006612572.tif 000017
【図１７】
0006612572.tif 000018
【図１８】
0006612572.tif 000019
【図１９】
0006612572.tif 000020